(57)【特許請求の範囲】
【請求項１】
接触検知部と、
前記接触検知部への入力に伴う接触領域の位置と大きさを検出する検出部と、
前記検出部により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行せず、接触領域の大きさが前記第３基準未満の場合には、前記処理を実行するよう制御する制御部とを備える
ことを特徴とする携帯端末。
【請求項２】
さらに、前記接触検知部がタッチパネルであり、
表示部とを備え、
前記タッチパネルは、前記表示部の上面又は下面に設置され、
前記制御部は、前記処理を実行しないよう制御する場合に、前記入力操作が無効である旨の画像を前記表示部に表示する
ことを特徴とする請求項１記載の携帯端末。
【請求項３】
さらに、前記接触検知部に使用者の指を接触させることで、その接触領域の大きさを基準とする指定を受け付ける登録部を備え、
前記制御部は、前記登録部が受け付けた前記指定に係る基準を前記第１基準として用いて前記制御を行う
ことを特徴とする請求項１記載の携帯端末。
【請求項４】
前記制御部は、前記接触領域の大きさが前記第２基準以上である場合には、前記処理を実行しないよう制御を行う
ことを特徴とする請求項１記載の携帯端末。
【請求項５】
さらに、外部機器との通信を行う通信部を備え、
前記制御部は、検出された接触領域に含まれる位置に予め割り当てられている処理が前記通信部を用いた処理である場合に、当該処理を実行しないよう制御を行う
ことを特徴とする請求項１記載の携帯端末。
【請求項６】
さらに、アクセス制限を行うサイトのアドレス情報が格納されたアクセス制限サイト記
憶部を備え、
前記制御部は、前記通信部を用いた処理が、前記アクセス制限サイト記憶部に記憶され
たアドレス情報に合致するサイトへの通信である場合に、当該処理を実行しないよう制御
を行う
ことを特徴とする請求項５記載の携帯端末。
【請求項７】
前記検出部は、前記接触検知部への前記入力が同時に複数箇所で行われたことを検出するものであり、
前記制御部は、前記検出部により検出された各箇所の接触領域の大きさに基づいて前記制御を行う
ことを特徴とする請求項１記載の携帯端末。
【請求項８】
接触検知部を備える携帯端末のプロセッサに入力制御処理を実行させるための入力制御プログラムであって、
接触検知部への入力により生じる接触領域を検出する検出手順と、
前記検出手順により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行せず、前記接触領域の大きさが前記第３基準未満の場合には、前記処理を実行するよう制御を行う制御手順とを含む
ことを特徴とする入力制御プログラム。
【請求項９】
接触検知部を備え、当該接触検知部からの入力に基づく処理を実行する携帯端末における入力制御方法であって、
接触検知部への入力により生じる接触領域を検出する検出手順と、
前記検出手順により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行せず、前記接触領域の大きさが前記第３基準未満の場合には、前記処理を実行するよう制御を行う制御手順とを含む
ことを特徴とする入力制御方法。
【発明の詳細な説明】
【技術分野】
【０００１】
本発明は、携帯端末、入力制御プログラム、入力制御方法に関し、特に、入力に応じた処理の実行を制御する技術に関する。
【背景技術】
【０００２】
タッチパネルを備える携帯端末において、タッチパネルへの誤入力による誤動作を抑制する技術として特許文献１や特許文献２が知られている。例えば、特許文献１では、タッチパネルへの入力操作によって生じる接触領域の面積を閾値と比較し、入力操作の有効と無効を決定する技術を開示している。閾値は、通話中に生じる耳や頬によるタッチパネルへの誤入力で生じる接触領域の面積よりは小さく、指等によるタッチパネルへの入力操作で生じる接触領域の面積よりは大きい値に設定されている。タッチパネルへの入力操作で生じる接触領域の面積がその閾値未満であった場合には携帯端末への入力操作を有効とし、その閾値以上である場合には携帯端末への入力操作を無効とした。
【先行技術文献】
【特許文献】
【０００３】
【特許文献１】特開２０１０−２０４０５号公報
【特許文献２】特開２００４−１２６７５２号公報
【発明の概要】
【発明が解決しようとする課題】
【０００４】
ところで、周囲に小さい子供がいる環境下でタッチパネルを備える携帯端末を使用する場合、小さい子供が指で触ることによって、データの消去や改変が行われたり、携帯端末に通信機能がついている場合は、通話が行われたり課金されるサイトへ接続したりするおそれがある。
例えば、特許文献１の技術では、小さい子供が指で触った際に、指が小さいために接触領域の面積が閾値より小さいと判断されて入力操作を有効と決定してしまう。
【０００５】
他方、タッチパネルを備える端末では、ユーザが指で入力操作を行う場合のほか、スタイラスその他のペンなど、子供の指による接触の場合よりもタッチパネルへの接触面積が小さい機器を用いて入力を行う場合があり、このような機器を用いる場合においても、適切に入力を検知する必要がある。
本発明は係る問題に鑑みてなされたものであり、誤動作を防止することが可能な携帯端末、入力制御プログラム及び入力制御方法を提供することを目的とする。
【課題を解決するための手段】
【０００６】
上記課題を解決するために本発明に係る携帯端末は、接触検知部と、前記接触検知部への入力に伴う接触領域の位置と大きさを検出する検出部と、前記検出部により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行しないよう制御する制御部とを備えることを特徴とする。
【０００７】
また、本発明に係る入力制御プログラムは、接触検知部を備える携帯端末のプロセッサに入力制御処理を実行させるための入力制御プログラムであって、接触検知部への入力により生じる接触領域を検出する検出手順と、前記検出手順により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行しない制御を行う制御手順とを含む。
【０００８】
さらに、本発明に係る入力制御方法は、接触検知部を備え、当該接触検知部からの入力に基づく処理を実行する携帯端末における入力制御方法であって、接触検知部への入力により生じる接触領域を検出する検出手順と、前記検出手順により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行せず、前記接触領域の大きさが前記第３基準未満の場合には、前記処理を実行するよう制御を行う制御手順とを含む。
【発明の効果】
【０００９】
本発明に係る携帯端末、入力制御プログラム及び入力制御方法は、誤動作を防止することが可能である。
【図面の簡単な説明】
【００１０】
【図１】本発明の一実施形態としてのタッチパネルを備える携帯電話機１０００の外観図である。
【図２】携帯電話機１０００の主要部の機能構成を示すブロック図である。
【図３】タッチパネル１２００からの入力操作に対する携帯電話機１０００の検出処理を示すフローチャートである。
【図４】タッチパネル１２００において、接触領域と検出処理の結果得られる最小矩形の関係を示した図である。
【図５】携帯電話機１０００の登録処理を示すフローチャートである。
【図６】携帯電話機１０００の制御処理を示すフローチャートであり、図７へ続く。
【図７】携帯電話機１０００の制御処理を示すフローチャートであり、図６から続く。
【図８】携帯電話機１０００へ小さい子供が触った際に表示する無効マークの例を示す図である。
【発明を実施するための形態】
【００１１】
＜実施形態＞
以下、本発明の携帯端末の一実施形態としてのタッチパネルを備える携帯電話機について説明する。
＜概要＞
タッチパネルを備える携帯電話機は、大人である使用者がその人差し指やスタイラスを用いてタッチパネルに接触したときはその入力操作を許可し、小さい子供がその指や手のひら等で接触したときはその入力操作を許可しない。それを実現するため、タッチパネルへの接触領域の面積を用いる。小さい子供の指はスタイラスより接触領域の面積が大きく、使用者の人差し指より小さい。また、小さい子供が手のひらや握りこぶしで触った場合を考えると、その接触領域の面積は使用者の人差し指よりは大きい。そこで、タッチパネルへの入力操作によって生じる接触領域の面積に関する３つの基準を設ける。第１基準は、大人である使用者の人差し指の大きさと子供の指の大きさとを区別する面積値であり、第２基準は使用者の人差し指の大きさと子供の手のひらや握りこぶしの大きさとを区別する面積値であり、第３基準はスタイラスの大きさと子供の指の大きさとを区別する面積値である。これらの大小関係は、第３基準＜第１基準＜第２基準である。
【００１２】
これらの基準から、タッチパネルへの接触領域の面積が第２基準以上である場合は、使用者の人差し指の腹よりも大きい子供の手のひら等による接触と推定できる。接触領域の面積が第１基準以上第２基準未満である場合は使用者の人差し指による接触、接触領域の面積が第３基準以上第１基準未満である場合は子供の指による接触、接触領域の面積が第３基準未満である場合は、スタイラスによる接触とそれぞれ推定できる。
【００１３】
この結果、大人である使用者がその人差し指やスタイラスを用いてタッチパネルに接触したときはその入力操作を許可し、小さい子供がその指や手のひら等で接触したときはその入力操作を許可しないタッチパネルを備える携帯電話機が実現できる。
＜外観＞
図１は、本発明の入力制御装置の一実施形態に係るタッチパネルを備える携帯電話機１０００の外観図である。
【００１４】
同図に示すように、携帯電話機１０００には、タッチパネル１２００（その真下に表示部１７００）、操作部１８００を構成するボタン１８００Ａ〜Ｄが配置されている。使用者は、これらを用いて様々な操作を行う。特にボタン１８００Ｃは使用者の人差し指の腹の面積を携帯電話機１０００に登録する際に用いる。ボタン１８００Ｃを以下登録用ボタンと呼ぶ。
【００１５】
＜構成＞
以下、携帯電話機１０００の構成について説明する。
図２は、携帯電話機１０００の主要部の機能構成を表すブロック図である。
携帯電話機１０００は、同図に示すように、記憶部１１００、タッチパネル１２００、操作部１８００、表示部１７００、通信部１９００、接触領域検出部１４００、基準登録部１３００、チャイルドロック制御部１５００、処理部１６００を備える。
【００１６】
なお、携帯電話機１０００は、プロセッサ及びメモリを含んで構成されており、各構成要素のうち、接触領域検出部１４００、基準登録部１３００、チャイルドロック制御部１５００、及び処理部１６００の各機能は、上述のメモリに記憶されているプログラムを上述のプロセッサが実行することにより実現される。
記憶部１１００は、ＨＤＤ（Ｈａｒｄ  Ｄｉｓｋ  Ｄｒｉｖｅ）やメモリ等の記憶媒体を含んで構成され、携帯電話機１０００が動作上必要とする各種データ、プログラムを記憶している。また、特に、小さい子供の指や手のひら等での接触による誤動作の抑制を行うために用いる第１基準、第２基準、第３基準を記憶する。なお、スタイラスによって生じる接触領域の面積の平均値の１．３倍の値である第３基準は、携帯電話機１０００の設計者によって記憶部１１００に予め記憶されている。
【００１７】
タッチパネル１２００は、多数の電極パターンをプラスチックやガラス等の基板上に形成し、接触点の近傍の複数の電極パターンによる電流量の比率を計測することで判別する投影型静電容量方式タッチパネルを用いることにより構成される。タッチパネル１２００は、接触したことを検出し、検出している間、接触領域の各座標値（ｘ，ｙ）を接触領域検出部１４００に通知する機能を有する。
【００１８】
操作部１８００は、ボタン１８００Ａ〜Ｄを含み、押下されたボタンの種類に応じて基準登録部１３００又は処理部１６００に信号を出力する機能を有する。ここで、ボタン１８００Ｃは基準登録部で行われる登録処理（後述）に用いられるものである。
表示部１７００は、ＬＣＤ（Ｌｉｑｕｉｄ  Ｃｒｙｓｔａｌ  Ｄｉｓｐｌａｙ）を含み、処理部１６００からの指示を受けて、文字や画像等をＬＣＤに表示する機能を有する。
【００１９】
通信部１９００は、処理部１６００から外部との通信をする命令を受け付け、外部の基地局との間でアンテナを用いて通信を行う機能を有する。
接触領域検出部１４００は、タッチパネル１２００から入力される接触領域の各座標値に基づいて、この接触領域を囲む長方形の４つの頂点の座標を検出する検出処理を行い、得られた長方形の４つの頂点の座標値（ｘ，ｙ）を、要求に応じて基準登録部１３００とチャイルドロック制御部１５００へ送出する機能を有する。
【００２０】
基準登録部１３００は、使用者により登録用ボタン１８００Ｃが押されてから離されるまでの間に、接触領域検出部１４００から通知される複数の長方形それぞれについて面積を求め、長方形の面積の平均値から第１基準と第２基準を決定する登録処理を実行し、記憶部１１００に登録処理の結果得られる第１基準と第２基準を格納する機能を有する。
チャイルドロック制御部１５００は、接触領域検出部１４００から受け取った接触領域を囲む長方形の４つの頂点の座標値（ｘ，ｙ）に基づいて、その接触領域に含まれる位置に予め割り当てられている処理を特定し、記憶部１１００から第１、第２、第３基準を取得し、それらの基準を基にその処理を行うかどうかを決定する制御処理を行い、処理を行うかどうかの決定結果を処理部１６００に通知する機能を有する。
【００２１】
処理部１６００は、通信部１９００を制御する通信制御機能や表示部１７００を制御する表示制御機能等を有する。また、チャイルドロック制御部１５００から処理を行うかどうかの決定結果を受け取り、処理を行わない場合は接触領域に含まれる位置に無効マーク（後述）を表示する機能を有する。
＜動作＞
次に、上述の構成を備える携帯電話機１０００の動作について図３から図８を用いて説明する。
【００２２】
以下では、まず図３と図４を用いて接触領域検出部１４００による検出処理の説明を行い、次に図５により基準登録部１３００による登録処理の説明を行い、最後に図６と図７と図８を用いてチャイルドロック制御部１５００による制御処理の説明を行う。
図３は、タッチパネル１２００からの入力に対して接触領域検出部１４００が行う検出処理を示すフローチャートである。
【００２３】
接触領域検出部１４００は、まずタッチパネル１２００から接触領域の各座標値（ｘ，ｙ）を受け取る（ステップＳ７０１）。
図４は、タッチパネル１２００を平面視した状態を示し、同図に示すようにタッチパネル１２００はそれぞれが四角形の形状を有する電極パターン８０１が集まって構成されている。この様に電極パターン８０１を複数枚並べることにより接触しているものと接触していないものを認識することができ、接触領域８０２を囲む領域８０３を特定することができる。
【００２４】
また、座標は、タッチパネル１２００の左上の隅の四角形の中心を原点（０，０）とし、そこから右上の隅の方向へｘ座標、左下の隅の方向へｙ座標を設ける。四角形の形状を有する電極パターン８０１の１つにつき、１つの座標値が与えられる。例えば、図４の電極パターン８０１で斜線が引いてある電極パターンには、（２０，２）という座標値が与えられる。他の電極パターンにおいても、正の整数で座標が与えられている。
【００２５】
図４において、タッチパネル１２００上に使用者の人差し指が接触しており、その接触領域が８０２で与えられている。タッチパネル１２００より、電極パターン８０１のうち８０３で与えられた領域の座標値が出力されたとする（図３のステップＳ７０１）。この領域において、ｘ座標、ｙ座標のうち最小値と最大値を求める（図３のステップＳ７０２）。そうすると、ｘ＿ｍｉｎ、ｙ＿ｍｉｎ、ｘ＿ｍａｘ、ｙ＿ｍａｘという値が求まる。その接触領域を囲む最小値と最大値とからなる長方形（以下、最小矩形と呼ぶ）を特定し、最小矩形の４つの頂点の座標を基準登録部１３００やチャイルドロック制御部１５００に出力し（図３のステップＳ７０３）、検出処理を終了する。
【００２６】
図５は、タッチパネル１２００からの入力に対する基準登録部１３００が行う登録処理を示すフローチャートである。
基準登録部１３００は、登録用ボタン１８００Ｃが押されることにより起動し、表示部１７００に人差し指にて接触するように促す。まず、タッチパネルへの接触があるかを確認する（ステップＳ３０１）。接触がない場合（ステップＳ３０１：ＮＯ）、接触されるまで待つ。接触がある場合（ステップＳ３０１：ＹＥＳ）、最小矩形の４つの頂点を検出する検出処理を行う（ステップＳ３０２）。検出処理が行われた後、検出された最小矩形の面積（＝（ｘ＿ｍａｘ−ｘ＿ｍｉｎ）×（ｙ＿ｍａｘ−ｙ＿ｍｉｎ））を求め、記憶部１１００に格納する（ステップＳ３０３）。その後、登録用ボタン１８００Ｃが離されたかを確認する（ステップＳ３０４）。離されていない場合（ステップＳ３０４：ＮＯ）、ステップＳ３０１に戻る。離された場合（ステップＳ３０４：ＹＥＳ）、記憶部に格納されている、登録ボタンを押してから離されるまでに検出された最小矩形の面積の平均値を求める（ステップＳ３０５）。最後に、面積の平均値の０．７倍の値を第１基準、１．３倍の値を第２基準とし、記憶部１１００に格納して（ステップＳ３０６）登録処理を終了する。
【００２７】
図６と図７は、接触領域検出部１４００からの入力に対してチャイルドロック制御部１５００が行う制御処理を示すフローチャートである。
チャイルドロック制御部１５００は、まずタッチパネル１２００への接触が行われているかを確認する（ステップＳ４０１）。タッチパネル１２００への接触が行われていない場合（ステップＳ４０１：ＮＯ）、大人フラグがＯＮであるかどうかを確認する（ステップＳ４０２）。大人フラグとは、タッチパネル１２００への接触が有効である場合にＯＮになるフラグであり、図７のステップＳ５１１で設定される。その大人フラグがＯＮである場合（ステップＳ４０２：ＹＥＳ）は、直前まで接触が有効であったことを意味している。従って、チャイルドロック制御部１５００は直前まで接触が有効であった位置に、接触が終了する時に当てられている処理を特定し、処理部１６００へ実行するよう通知し処理を行わせる（ステップＳ４０３）。その後、大人フラグをＯＦＦにし（ステップＳ４０４）、ステップＳ４０１へ戻る。また、タッチパネル１２００への接触が行われていない場合に（ステップＳ４０１：ＮＯ）、大人フラグがＯＦＦだった場合（ステップＳ４０２：ＮＯ）は、ステップＳ４０１に戻る。
【００２８】
タッチパネル１２００への接触が行われている場合（ステップＳ４０１：ＹＥＳ）、検出処理を行う（ステップＳ４０５）。その後、検出された最小矩形の面積を求める（ステップＳ４０６）。
チャイルドロック制御部１５００は、検出された長方形の面積を求めた後（ステップＳ４０６）、検出した最小矩形の面積の大きさが第１基準以上かどうかを確認する（図７のステップＳ５０１）。第１基準以上であった場合（ステップＳ５０１：ＹＥＳ）、第２基準以上かどうかを確認する（ステップＳ５０２）。第２基準以上であった場合（ステップＳ５０２：ＹＥＳ）、接触位置に割り当てられている処理を行わない。接触位置に既に無効マーク
（後述）を表示していないかを確認し（ステップＳ５０３）、表示していない場合（ステップＳ５０３：ＹＥＳ）、接触位置に無効マークを表示するよう処理部１６００へ通知し処理を行わせ（ステップＳ５０４）、図６のステップＳ４０１に戻る。
【００２９】
無効マークについて、図８を用いて説明する。図８において、破線で囲んだ領域６０１は、検出処理によって検出された最小矩形を示している。なお、これは説明のために表示しており、実際には表示されない。領域６０１内に実線で表示されたマーク６０２が無効マークである。無効マーク６０２は、図８に示すように最小矩形の中心位置に表示される。なお、無効マーク６０２は、大人である使用者が指やスタイラスを用いて触るまで継続して表示される。これは、携帯電話機１０００の使用者に対して、小さな子供が携帯電話機１０００に触った可能性があることを認知させるために行う。また、大人である使用者が指やスタイラスを用いて接触を失敗したときにも表示されるため、大人に対しても接触を失敗したことを認知させることができる。
【００３０】
再び図７のフローチャートの説明に戻る。
接触位置に既に無効マーク６０２を表示している場合（ステップ５０３：ＮＯ）、図６のステップＳ４０１に戻る。
説明を図７のステップＳ５０１に戻す。検出した最小矩形の面積の大きさが第１基準未満の場合（ステップＳ５０１：ＮＯ）、第３基準未満かどうかを確認する（ステップＳ５０５）。第３基準以上であった場合（ステップＳ５０５：ＮＯ）、接触位置に割り当てられている処理を行わない。これは、小さい子供が指先の腹を使って触っていると推定できるためである。接触位置に既に無効マーク６０２を表示していないかを確認し（ステップＳ５０６）、表示していない場合（ステップＳ５０６：ＹＥＳ）、接触位置に無効マーク６０２を表示するよう処理部１６００へ通知し処理を行わせ（ステップＳ５０７）、図６のステップＳ４０１に戻る。無効マーク６０２を表示している場合（ステップＳ５０６：ＮＯ）、図６のステップＳ４０１に戻る。
【００３１】
説明を図７のステップＳ５０２とステップＳ５０５に戻す。検出した最小矩形の面積の大きさが第１基準以上であって（ステップＳ５０１：ＹＥＳ）、第２基準未満であった場合（ステップＳ５０２：ＮＯ）は、ステップＳ５０８へ進む。検出した最小矩形の面積の大きさが第１基準未満であって（ステップＳ５０１：ＮＯ）、第３基準未満であった場合（ステップＳ５０５：ＹＥＳ）は、同じくステップＳ５０８へ進む。
【００３２】
図７のステップＳ５０８において、接触位置に無効マーク６０２を表示しているかどうかを確認する。表示している場合（ステップＳ５０８：ＹＥＳ）、無効マーク６０２を消し（ステップＳ５０９）、接触位置に割り当てられている処理を特定し、処理部１６００へ実行するよう通知し処理を行わせる（ステップＳ５１０）。無効マークを表示していない場合（ステップＳ５０８：ＮＯ）も、接触位置に割り当てられている処理を特定し、処理部１６００へ実行するよう通知し処理を行わせる（ステップＳ５１０）。その後、大人フラグをＯＮにし（ステップＳ５１１）、図６のステップＳ４０１に戻る。
【００３３】
実施形態の携帯端末は、タッチパネルへの入力によって生じる接触領域の大きさが、第１基準より大きい場合には入力を受け付け、第１基準より小さい場合には入力を受け付けない。これにより、第１基準を大人の指とみなせる大きさである接触領域の大きさに設定すると、小さい子供の指での接触による携帯端末の誤動作を制限することができる。
また、実施形態の携帯端末は、タッチパネルへの入力によって生じる接触領域の大きさが、第３基準未満の場合には入力を受け付ける。これにより、例えば、子供の指などよりも小さいスタイラスなどのペンなどの機器による入力処理を適切に受け付けることができる。
＜補足＞
以上、本発明の一具体例として、タッチパネルを備える携帯電話機を説明したが、以下のような形態で実施することも可能であり、本発明は上述の実施形態で示した通りの携帯端末に限られないことはもちろんである。
【００３４】
（１）実施形態では、使用者の人差し指の腹をタッチパネル１２００に複数回接触させることで最小矩形の面積の平均値を取得し、その平均値を基に第１基準、第２基準を決定したが、予め機器の設計者によって与えられた第１基準、第２基準を用いてもよい。
また、使用者の人差し指ではなく、使用者が小さい子供に対して、その指の腹をタッチパネル１２００に複数回接触させることで最小矩形の面積の平均値を取得し、その平均値を基に第１基準を作成し、同様に小さい子供の手のひらをタッチパネル１２００に複数回接触させることで最小矩形の面積の平均値を取得し、その平均値を基に第２基準を作成してもよい。
【００３５】
（２）実施形態では、入力操作が無効であるときに無効である旨の表示をマークで行ったが、例えば「無効」といったテキスト（文字列）を表示させてもよいし、マークと文字列の組み合わせを表示してもよい。また、無効マークは一定時間表示した後に消してもよい。なお、無効マークを表示する位置は、上端部等、表示画面内のいずれか任意の位置であっても良い。
【００３６】
（３）実施形態では、表示部としてＬＣＤを用いたが、ブラウン管（ＣＲＴ）やＰＤＰ（プラズマディスプレイパネル）や有機ＥＬ等のフラットディスプレイでもよい。
（４）実施形態では、携帯電話機においてタッチパネル１２００と表示部１７００を重ねたが、タッチパネルの代わりにタッチパッドを用いて、表示部とタッチパッドを重ねることなく設置し、タッチパッドの接触領域について検出処理や制御処理を行ってもよい。なお、タッチパネルと表示部を重ねることによって、画面上の操作説明に入力動作が対応するため、直感的にわかりやすく、操作が簡単になるという利点がある。
【００３７】
（５）実施形態の説明では、タッチパネル１２００は、投影型静電容量方式タッチパネルを用いて実現するとしているが、２枚の抵抗膜の一枚に電圧を印加し、他方の抵抗膜において操作した位置に応じた電圧を検知するアナログ抵抗膜方式タッチパネルを用いて実現してもよい。
（６）実施形態では、タッチパネルはシングルタッチのものを使用していたが、マルチタッチ可能なタッチパネルを用いてもよい。
【００３８】
マルチタッチ可能なタッチパネルを用いる際は、各々の指が接触して生じた接触領域ごとに図６と図７で説明した制御処理を行ってもよい。このとき、全ての接触領域についてその面積が第１基準、第２基準、及び第３基準との大小関係を判断する図７のステップＳ５０１、ステップＳ５０２、及びステップＳ５０５を経由してステップＳ５０８に到達できなければ接触領域に含まれる位置に予め割り当てられている処理を行わないとしてもよいし、図７のステップＳ５０８に到達した接触領域ごとに予め割り当てられている処理を行ってもよい。
【００３９】
（７）実施形態では、接触領域の大きさが、第３基準以上、第１基準未満の場合は、入力操作を一切受け付けないことになっていたが、一部機能の実行のみを制限するようにしてもよい。携帯電話機の場合、外部通信を行わせないとしてもよい。具体的には、有害なサイトや課金されるサイトへの接続を制限する等が考えられる。
例えば、予め記憶部に有害なサイトや課金されるサイトのアドレスを格納しておき、接触領域の大きさが、第３基準以上、第１基準未満の場合は、格納されていた有害なサイトや課金されるサイトへ接続しようとした場合にはその処理を実行しない、としてもよい。
【００４０】
（８）実施形態において説明した各構成要素のうち、全部又は一部を１チップ又は複数チップの集積回路で実現してもよいし、プログラムで実現してもよいし、その他どのような形態で実現してもよい。
（９）実施形態では、接触領域を囲む長方形（最小矩形）を特定し、その面積値から接触領域に含まれる位置に予め割り当てられている処理を実行するか否かを決定したが、長方形でなくてもよい。例えば、円や楕円でもよい。円の場合は、接触領域の重心を中心とし、接触領域のうち重心から最も離れた位置までの距離を半径としてもよい。また、楕円の場合は接触領域を内接するように描いてもよい。
【００４１】
（１０）実施形態では、使用者の人差し指の腹に合わせて第１基準と第２基準を決定する際にタッチパネル１２００を複数回触った時の最小矩形の面積の平均値の０．７倍と１．３倍に設定したが、これらの倍率は大人と小さい子供の接触を区別できる限り自由に決定してもよい。
（１１）実施形態において説明したタッチパネル１２００からの入力に対する処理（図３等参照）をＣＰＵに実行させるためのプログラムを、記録媒体に記録し又は各種通信路等を介して、流通させ頒布することもできる。この様な記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯電話機１０００の各機能が実現される。
【００４２】
（１２）実施形態において、第３基準を設定することでスタイラスでのタッチパネルへの入力操作を実現したが、第３基準を設定せずに、スタイラスでのタッチパネルへの入力操作を行わないようにしてもよい。
（１３）実施形態の携帯電話機１０００は、いわゆるストレートタイプの携帯電話機であるとして説明したが、本発明の携帯電話機としては、タッチパネル等の接触検知部を備える携帯電話機であれば、２画面タッチパネル等の複数のタッチパネルを有する携帯電話機や、折りたたみ式、スライド式等、他の外観を有する携帯電話機であっても良い。
【００４３】
（１４）上記実施形態及び上記変形例をそれぞれ組み合わせるとしてもよい。
（１５）以下、更に本発明の一実施形態に係る入力制御装置及び携帯端末の構成及びその変形例と効果について述べる。
（ａ）本発明の一実施形態に係る携帯端末は、接触検知部と、前記接触検知部への入力に伴う接触領域の位置と大きさを検出する検出部と、前記検出部により検出された接触領域の大きさが、第１基準以上、第２基準未満である場合には、検出された接触領域に含まれる位置に予め割り当てられている処理を実行し、接触領域の大きさが第３基準以上、前記第１基準未満である場合には、前記処理を実行せず、接触領域の大きさが前記第３基準未満の場合には、前記処理を実行するよう制御する制御部とを備える。
【００４４】
従って、この携帯端末は、タッチパネルへの入力を受け付けるか否かを、タッチパネルへの入力によって生じる接触領域の大きさによって判断する。これにより、第１基準を大人である使用者の人差し指の大きさと小さい子供の指の大きさとを区別する値に設定し、第２基準を使用者の人差し指の大きさと小さい子供の手のひらや握りこぶしの大きさとを区別する値に設定し、第３基準をスタイラスの大きさと小さい子供の指の大きさとを区別する値に設定すると、小さい子供の指での接触による携帯端末の誤動作を抑制しつつ、大人である使用者の人差し指やスタイラスを用いた接触による入力を受け付けることができる。
【００４５】
（ｂ）ここで、携帯端末は、さらに、前記接触検知部がタッチパネルであり、表示部とを備え、前記タッチパネルは、前記表示部の上面又は下面に設置され、前記制御部は、前記処理を実行しないよう制御する場合に、前記入力操作が無効である旨の画像を前記表示部に表示することとしてもよい。
これにより、この携帯端末は、タッチパネルと表示手段を備え、タッチパネルへの接触が基準より小さい場合には表示手段に無効であることを示す記号や文字を表示することで、処理を行わなかったことを知らせることができる。
【００４６】
（ｃ）ここで、携帯端末は、前記接触検知部に使用者の指を接触させることで、その接触領域の大きさを基準とする指定を受け付ける登録部を備え、前記制御部は、前記登録部が受け付けた前記指定に係る基準を前記第１基準として用いて前記制御を行うこととしてもよい。
これにより、タッチパネルへの入力を受け付けるか否かの基準として使用者の指を用いることができる。
【００４７】
（ｄ）ここで、前記制御部は、前記接触領域の大きさが前記第２基準以上である場合には、前記処理を実行しないよう制御を行うこととしてもよい。
これにより、大人の指での接触と推定される大きさよりも大きい接触領域、例えば小さい子供の手のひら等による接触を無効とすることができる。
（ｅ）ここで、携帯端末は、外部機器との通信を行う通信部を備え、前記制御部は、検出された接触領域に含まれる位置に予め割り当てられている処理が前記通信部を用いた処理である場合に、当該処理を実行しないよう制御を行うこととしてもよい。
【００４８】
これにより、携帯端末への小さい子供による指での接触があった場合に、外部との通信を行わせないようにすることができる。
（ｆ）ここで、携帯端末は、アクセス制限を行うサイトのアドレス情報が格納されたアクセス制限サイト記憶部を備え、前記制御部は、前記通信部を用いた処理が、前記アクセス制限サイト記憶部に記憶されたアドレス情報に合致するサイトへの通信である場合に、当該処理を実行しないよう制御を行うこととしてもよい。
【００４９】
これにより、携帯端末への小さい子供による指での接触があった場合に、外部との通信のうち、アクセス制限を行うサイトへの通信に限り行わせないようにすることができる。
（ｇ）ここで、前記検出部は、前記接触検知部への前記入力が同時に複数箇所で行われたことを検出するものであり、前記制御部は、前記検出部により検出された各箇所の接触領域の大きさに基づいて前記制御を行うこととしてもよい。
【００５０】
これにより、タッチパネルがマルチタッチ式であった場合に、複数ある接触領域各々に対して入力の有効や無効を決定することができる。
【産業上の利用可能性】
【００５１】
本発明の入力制御装置は、タッチパネル等の接触検知部が備わっている機器に対して利用可能である。
【符号の説明】
【００５２】
１０００  携帯電話機
１１００  記憶部
１２００  タッチパネル（接触検知部）
１３００  基準登録部
１４００  接触領域検出部
１５００  チャイルドロック制御部
１６００  処理部
１７００  表示部
１８００  操作部
１９００  通信部
【図１】
0005615642.tif 000002
【図２】
0005615642.tif 000003
【図３】
0005615642.tif 000004
【図４】
0005615642.tif 000005
【図５】
0005615642.tif 000006
【図６】
0005615642.tif 000007
【図７】
0005615642.tif 000008
【図８】
0005615642.tif 000009